(57)【要約】【課題】時間長が十分に長い入力信号の信号波形に対する波形判定を正確に行う。【解決手段】入力信号をデータ化した波形データおよび入力信号用に設定された判定エリアＡ１を示すエリアデータを記憶する記憶部と、記憶部から波形データおよびエリアデータを読み出して表示部３の表示画面１１に入力信号の信号波形Ｗ１および判定エリアＡ１を表示させると共に表示させている判定エリア内から信号波形が外れているか否かの波形判定を実行する制御部と、表示画面１１内における信号波形Ｗ１の一部を含んだ設定範囲Ａａ，Ａｂを設定可能な操作部とを備え、制御部は、設定範囲Ａａ，Ａｂが設定されたときに、設定範囲Ａａ，Ａｂに含まれている信号波形Ｗ１の一部の信号波形Ｗ２，Ｗ３および対応する判定エリアＡ２，Ａ３を分割表示画面１３，１４において時間軸方向に対して拡大した状態で表示させて判定処理を実行する。【選択図】図５
2005189065.tif 000002
【特許請求の範囲】
【請求項１】
入力信号をデータ化した波形データおよび当該入力信号用に設定された判定エリアを示すエリアデータを記憶する記憶部と、
前記記憶部から前記波形データおよび前記エリアデータを読み出して表示部の表示画面に前記入力信号の信号波形および前記判定エリアを表示させると共に当該表示画面に表示させている当該判定エリア内から当該信号波形が外れているか否かの波形判定および当該判定エリア内に当該信号波形が含まれているか否かの波形判定の少なくとも一方を実行する制御部とを備えた波形判定装置であって、
前記表示画面内における前記信号波形の一部を含んだ任意の範囲を設定範囲として設定操作可能な操作部を備え、
前記制御部は、前記設定操作がされたときに、前記設定範囲に含まれている前記信号波形の前記一部および前記判定エリアにおける当該一部に対応する部分を前記表示画面において少なくとも時間軸方向に対して拡大した状態で表示させて前記少なくとも一方の波形判定を実行する波形判定装置。
【請求項２】
前記制御部は、前記表示画面を分割した複数の分割表示画面のうちの１つに前記信号波形全体を前記時間軸方向に対して圧縮した状態で表示させると共に、前記設定操作がされたときに、前記信号波形の前記一部および前記判定エリアにおける当該一部に対応する部分を前記１つの分割表示画面を除く他の前記分割表示画面に前記拡大した状態で表示させる請求項１記載の波形判定装置。
【請求項３】
前記制御部は、前記信号波形全体に対応する前記判定エリアを当該信号波形全体と共に前記各分割表示画面のうちの１つに少なくとも前記時間軸方向に対して圧縮した状態で表示させる請求項２記載の波形判定装置。
【請求項４】
前記制御部は、前記設定操作によって前記設定範囲が複数設定されたときに、当該各設定範囲に含まれている前記信号波形の前記一部および前記判定エリアにおける当該各一部にそれぞれ対応する部分を前記１つの分割表示画面を除く他の複数の前記分割表示画面においてそれぞれ時間軸方向に対して拡大した状態で表示させて当該各分割表示画面毎に前記少なくとも一方の波形判定を実行する請求項２または３記載の波形判定装置。
【発明の詳細な説明】
【技術分野】
【０００１】
本発明は、入力信号の信号波形を表示画面に表示させると共に判定エリア内から信号波形が外れているか否かの波形判定および判定エリア内に信号波形が含まれているか否かの波形判定の少なくとも一方を実行する波形判定装置に関するものである。
【背景技術】
【０００２】
この種の波形判定装置として、特開平６−２４９６８２号公報に開示された波形判定装置が知られている。この波形判定装置は、ＣＰＵと、入力信号の信号波形（被判定波形）をディジタルの波形データに変換するＡ／Ｄ変換回路と、制御用のプログラムが格納されているＲＯＭと、被判定波形データなどを記憶するＲＡＭと、判定エリア（判定波形）などが表示されるディスプレイと、ディスプレイの表示画面上の波形データが記憶されるＶ−ＲＡＭと、操作部とを備え、操作部を操作することにより、ディスプレイに判定エリアおよび入力信号の信号波形などが表示されるように構成されている。この場合、表示画面に映し出されている判定エリアのデータはＶ−ＲＡＭに保持されている。
【特許文献１】特開平６−２４９６８２号公報（第２−３頁）
【発明の開示】
【発明が解決しようとする課題】
【０００３】
ところが、従来の波形判定装置には、以下のような課題がある。すなわち、この波形判定装置では、ディスプレイの表示画面に映し出される判定エリアのデータがＶ−ＲＡＭに保持されている。また、この判定エリアのデータは、ディスプレイの表示画面に映し出される入力信号の信号波形に対応させて作成される。したがって、例えば、入力信号が長時間に亘るときのように入力信号の波形データが増大してこのままではディスプレイの表示画面内に表示し切れないときには、入力信号の信号波形を表示画面内に表示し得るデータ量まで波形データを圧縮する必要がある。しかしながら、波形データを圧縮したときには、時間軸（横軸）方向において信号波形が潰れて信号波形の微妙な変化を表示することができないことがある。したがって、この波形判定装置には、入力信号の信号波形に対する正確な判定がやや困難になるおそれがあるという課題が存在する。この場合、Ａ／Ｄ変換回路のサンプリング周期を予め遅く設定して入力信号の信号波形を表示画面内に表示し得るデータ量に抑制する方法も考えられる。しかし、この方法では、時間軸方向に対する分解能が低下する結果、入力信号の信号波形に生じた突発的な変化を取りこぼす可能性がある。したがって、この方法を採用するのは困難である。
【０００４】
本発明は、かかる課題に鑑みてなされたものであり、時間長が十分に長い入力信号の信号波形に対する波形判定を正確に行い得る波形判定装置を提供することを主目的とする。
【課題を解決するための手段】
【０００５】
上記目的を達成すべく請求項１記載の波形判定装置は、入力信号をデータ化した波形データおよび当該入力信号用に設定された判定エリアを示すエリアデータを記憶する記憶部と、前記記憶部から前記波形データおよび前記エリアデータを読み出して表示部の表示画面に前記入力信号の信号波形および前記判定エリアを表示させると共に当該表示画面に表示させている当該判定エリア内から当該信号波形が外れているか否かの波形判定および当該判定エリア内に当該信号波形が含まれているか否かの波形判定の少なくとも一方を実行する制御部とを備えた波形判定装置であって、前記表示画面内における前記信号波形の一部を含んだ任意の範囲を設定範囲として設定操作可能な操作部を備え、前記制御部は、前記設定操作がされたときに、前記設定範囲に含まれている前記信号波形の前記一部および前記判定エリアにおける当該一部に対応する部分を前記表示画面において少なくとも時間軸方向に対して拡大した状態で表示させて前記少なくとも一方の波形判定を実行する。この場合、本発明における「少なくとも時間軸方向に対して拡大した状態で表示させる」とは、時間軸とレベル軸との両方に対して拡大した状態で表示することを含む。また、「拡大した状態で表示させる」とは、表示画面内において信号波形の一部を表示させる際に、少なくとも時間軸方向に対して圧縮した状態で信号波形全体を表示画面内に表示させているときには、その信号波形の非圧縮状態での表示と、圧縮状態での表示よりも圧縮の程度が小さい表示（つまり、その圧縮した状態での表示を拡大した表示）との両者を意味する。
【０００６】
また、請求項２記載の波形判定装置は、請求項１記載の波形判定装置において、前記制御部は、前記表示画面を分割した複数の分割表示画面のうちの１つに前記信号波形全体を前記時間軸方向に対して圧縮した状態で表示させると共に、前記設定操作がされたときに、前記信号波形の前記一部および前記判定エリアにおける当該一部に対応する部分を前記１つの分割表示画面を除く他の前記分割表示画面に前記拡大した状態で表示させる。
【０００７】
また、請求項３記載の波形判定装置は、請求項２記載の波形判定装置において、前記制御部は、前記信号波形全体に対応する前記判定エリアを当該信号波形全体と共に前記各分割表示画面のうちの１つに少なくとも前記時間軸方向に対して圧縮した状態で表示させる。
【０００８】
また、請求項４記載の波形判定装置は、請求項２または３記載の波形判定装置において、前記制御部は、前記設定操作によって前記設定範囲が複数設定されたときに、当該各設定範囲に含まれている前記信号波形の前記一部および前記判定エリアにおける当該各一部にそれぞれ対応する部分を前記１つの分割表示画面を除く他の複数の前記分割表示画面においてそれぞれ時間軸方向に対して拡大した状態で表示させて当該各分割表示画面毎に前記少なくとも一方の波形判定を実行する。
【発明の効果】
【０００９】
請求項１記載の波形判定装置では、制御部が、操作部による設定操作が行われたときに、設定範囲に含まれている信号波形の一部と、判定エリアにおけるその一部に対応する部分とを表示画面に非圧縮状態で表示させ、その状態で波形判定を実行する。したがって、時間長が十分に長い入力信号を十分に短いサンプリング周期でサンプリングした波形データに基づいて時間軸方向に圧縮表示（波形データを時間軸方向に圧縮）して表示させた信号波形がたとえ潰れていたとしても、その信号波形における任意の範囲を拡大した状態で表示させることで信号波形の細部を正確に表示することができる。この結果、信号波形を正確に判定することができる。
【００１０】
また、請求項２記載の波形判定装置では、制御部が、複数の分割表示画面のうちの１つに信号波形全体を表示させると共に、設定操作がされたときに、設定範囲に含まれている信号波形の一部と、判定エリアにおけるその一部に対応する部分とを拡大した状態で他の分割表示画面に表示させる。したがって、オペレータは、信号波形全体の様子および信号波形の細部の双方を同時に把握することができる。
【００１１】
また、請求項３記載の波形判定装置では、制御部が、信号波形全体に対応する判定エリアを信号波形全体と共に各分割表示画面のうちの１つに表示させる。このため、オペレータは、信号波形が判定エリア内から外れているか否かを信号波形全体に亘って一目で把握することができる。したがって、例えば、判定エリアを外れている部位が信号波形のどこに位置しているかを容易に把握することができる。この場合、判定エリアを外れている部位を拡大した状態で表示させることで、信号波形を正確に判定することができる。
【００１２】
また、請求項４記載の波形判定装置では、制御部が、設定操作によって設定範囲が複数設定されたときに、各設定範囲に含まれている信号波形の一部と、判定エリアにおけるその各一部にそれぞれ対応する部分とを各分割表示画面にそれぞれ拡大した状態で表示させて各分割表示画面毎に波形判定を実行する。したがって、オペレータは、例えば、信号波形が判定エリア内から外れているか否かを判定するのが困難な部分が複数存在するとしても、それらの正確な判定結果を同時に把握することができる。
【発明を実施するための最良の形態】
【００１３】
以下、添付図面を参照して、本発明に係る波形判定装置について説明する。
【００１４】
最初に、図１を参照して、波形判定装置１の構成について説明する。
【００１５】
同図に示すように、波形判定装置１は、測定部２、表示部３、操作部４、制御部５、ＲＡＭ６およびＲＯＭ７を備えて構成されている。測定部２は、入力信号Ｓを所定のサンプリング周期でアナログ−ディジタル変換して波形データＤｗを生成すると共に、その波形データＤｗを制御部５に出力する。表示部３は、ＬＣＤパネルまたはブラウン管（ＣＲＴ）で構成され、制御部５の制御下で、例えば、図５に示すように、３つの分割表示画面１２〜１４を表示画面１１内に表示すると共に、後述する信号波形Ｗ１〜Ｗ３および判定エリアＡ１〜Ａ３を各分割表示画面１２〜１４にそれぞれ表示する。操作部４は、例えば、各種操作キーが配列された操作パネルと、表示部３の分割表示画面１２内における所定の範囲（一例として、同図に破線で示す設定範囲Ａａ，Ａｂ）を任意に設定可能なマウス等のポインティングデバイス（いずれも図示せず）とを備えて構成されている。
【００１６】
制御部５は、測定部２から出力された波形データＤｗをＲＡＭ６に記憶させる記憶制御を実行する。また、制御部５は、図５に示すように、表示部３に対して、波形データＤｗに基づく入力信号Ｓの信号波形全体を示す信号波形Ｗ１と、ＲＡＭ６に記憶されているエリアデータＤａに基づく判定エリアＡ１とを表示画面１１の分割表示画面１２に表示させる。また、制御部５は、同図に示すように、操作部４の設定操作によって信号波形Ｗ１の一部を含んだ分割表示画面１２内の任意の範囲（この例では、例えば設定範囲Ａａ，Ａｂ）が設定範囲として設定されたときには、表示部３に対して、設定範囲Ａａ，Ａｂに含まれている信号波形Ｗ１の一部、つまり同図に示す信号波形Ｗ２，Ｗ３と、判定エリアＡ１における設定範囲Ａａ，Ａｂに含まれている部分（判定エリアＡ１における信号波形Ｗ２，Ｗ３に対応する部分）、つまり判定エリアＡ２，Ａ３とを表示画面１１の分割表示画面１３，１４にそれぞれ拡大した状態で表示させる。なお、以下、拡大した状態での表示の一例として、非圧縮状態で表示する例について説明する。さらに、制御部５は、波形データＤｗに基づいて生成した波形表示用データと、エリアデータＤａに基づいて生成したエリア表示用データとを比較することにより、表示部３に表示させている信号波形Ｗ２，Ｗ３が判定エリアＡ２，Ａ３内からそれぞれ外れているか否かの波形判定および判定エリアＡ２，Ａ３内に含まれているか否かの波形判定の少なくとも一方を実行する。具体的には、この波形判定装置１では、操作部４の設定操作に応じて、表示部３に表示させている信号波形Ｗ２，３の少なくとも一部が判定エリアＡ２，Ａ３内から外れているか否かの波形判定、信号波形Ｗ２，Ｗ３の全部が判定エリアＡ２，Ａ３を外れているか否かの波形判定、信号波形Ｗ２，３の少なくとも一部が判定エリアＡ２，Ａ３内に含まれているか否かの波形判定、および信号波形Ｗ２，３の全部が判定エリアＡ２，Ａ３内に含まれているか否かの波形判定の少なくとも１つを実行する。以下、一例として、制御部５が信号波形Ｗ２，３の少なくとも一部が判定エリアＡ２，Ａ３を外れているか否かの波形判定を実行する例について説明する。
【００１７】
ＲＡＭ６は、本発明における記憶部に相当し、制御部５の制御下で、測定部２から出力された波形データＤｗを記憶する。また、ＲＡＭ６は、入力信号Ｓに対して予め設定された判定エリアＡ１を表示させるためのエリアデータＤａを記憶する。この場合、判定エリアＡ１は、図２に示すようなノイズが重畳していない正常状態の入力信号Ｓ０の信号波形がその範囲内に包含されるように予め設定されている。ＲＯＭ７は、制御部５の動作プログラムなどを記憶する。
【００１８】
次に、波形判定装置１の全体的な動作について説明する。
【００１９】
まず、波形判定装置１は、トリガ測定により、入力信号Ｓの記録を実行する。具体的には、制御部５は、測定部２がサンプリングして出力した入力信号Ｓについての波形データＤｗのレベルを監視して、予め設定されたトリガ条件（一例として、波形データＤｗのレベルが所定の設定値を上向きで横切るという条件）を満たした時点で、波形データＤｗをＲＡＭ６に記憶させる記憶制御を開始する。また、制御部５は、記憶制御の開始から予め設定された時間を経過した時点で、ＲＡＭ６への波形データＤｗの記憶を終了する。このようにして、制御部５は、一例として、図３に示す入力信号Ｓについての設定時間分の波形データＤｗをＲＡＭ６に記憶させる。
【００２０】
次に、制御部５は、図４に示すように、表示部３の表示画面１１内に３つの分割表示画面１２〜１４を表示させる。この場合、分割表示画面１２は、一例として、表示画面１１の上部において時間軸方向（左右方向）の全域に亘って表示される。また、分割表示画面１３，１４は、分割表示画面１２と比較して、時間軸方向に対しては短く、かつレベル軸（縦軸）方向に対してはやや長くなるようにして、表示画面１１の下部において左右に隣接する状態で表示される。この場合、分割表示画面１３，１４では、分割表示画面１２による表示と比較して、時間軸方向に沿った単位長当たりの時間が短くなるように表示され、かつレベル軸方向に沿った単位長当たりのレベルが小さくなように表示される。つまり、分割表示画面１３，１４は、分割表示画面１２と比較して、時間軸およびレベル軸の両方向に対して信号波形を拡大した状態で表示する。したがって、分割表示画面１３，１４には、時間軸およびレベル軸の両方向に対して高い分解能（高精度）で信号波形が表示される。この場合、時間軸方向に対してのみ拡大した状態で信号波形を表示させることもできる。次いで、制御部５は、波形データＤｗおよびエリアデータＤａをＲＡＭ６から読み出して、波形データＤｗに基づく入力信号Ｓ全体についての信号波形Ｗ１、およびエリアデータＤａに基づく判定エリアＡ１を表示画面１１の分割表示画面１２に表示させる。この場合、制御部５は、信号波形Ｗ１および判定エリアＡ１の時間軸（横軸）方向の長さと同図に示す分割表示画面１２の時間軸長Ｌｗとが一致し、かつ信号波形Ｗ１および判定エリアＡ１のレベル軸方向の最大長さ（最大高さ）が同図に示す分割表示画面１２のレベル軸長Ｌｈよりも短い状態に圧縮状態で表示されるように、波形データＤｗおよびエリアデータＤａに基づいて波形表示用データおよびエリア表示用データをそれぞれ生成する。これにより、オペレータは、入力信号Ｓの全体についての信号波形Ｗ１が判定エリアＡ１内から外れているか否かを一目で把握することができる。
【００２１】
一方、例えば、圧縮表示によって信号波形Ｗ１が潰れることに起因して、図４に示すポイントＰ１，Ｐ２において信号波形Ｗ１が判定エリアＡ１内から外れているか否かを把握するのが困難となることがある。この際には、分割表示画面１２内において、ポイントＰ１を含んだ設定範囲Ａａと、ポイントＰ２を含んだ設定範囲Ａｂとを操作部４のポインティングデバイスを用いて設定（設定操作）する。これに応じて、制御部５は、設定範囲Ａａ，Ａｂに含まれている信号波形Ｗ１の一部に対応する波形データＤｗをＲＡＭ６から抽出して読み出し、信号波形Ｗ１におけるその一部を時間軸方向およびレベル軸方向に対して拡大した状態（一例として非圧縮状態）で分割表示画面１３，１４にそれぞれ表示させるための波形表示用データを波形データＤｗに基づいて生成する。これにより、図５に示すように、その波形表示用データに基づく信号波形Ｗ１の非圧縮状態の画像としての信号波形Ｗ２，Ｗ３が分割表示画面１３，１４にそれぞれ表示される。また、制御部５は、判定エリアＡ１における設定範囲Ａａ，Ａｂに含まれている部分に対応するエリアデータＤａをＲＡＭ６から抽出して読み出し、判定エリアＡ１におけるその部分を時間軸方向およびレベル軸方向に対して非圧縮状態で分割表示画面１３，１４にそれぞれ表示させるためのエリア表示用データをエリアデータＤａに基づいて生成する。これにより、同図に示すように、そのエリア表示用データに基づく判定エリアＡ１の非圧縮状態の画像としての判定エリアＡ２，Ａ３が分割表示画面１３，１４にそれぞれ表示される。この場合、信号波形Ｗ１が潰れて表示されて信号波形Ｗ１が判定エリアＡ１内から外れているか否かの判定が困難な部分については、その部分（上記の例では信号波形Ｗ２，Ｗ３および判定エリアＡ２，Ａ３）を非圧縮状態で表示することで、オペレータは、信号波形Ｗ１が判定エリアＡ１から外れているか否かを正確に把握することができる。なお、制御部５が、設定範囲Ａａ，Ａｂに対応する各信号波形Ｗ２，Ｗ３および判定エリアＡ２，Ａ３の時間軸（横軸）方向の長さと同図に示す分割表示画面１３，１４の時間軸長とが一致し、かつ信号波形Ｗ２，Ｗ３および判定エリアＡ２，Ａ３のレベル軸（縦軸）方向の最大長さ（最大高さ）が同図に示す分割表示画面１３，１４のレベル軸長よりも短い状態に拡大した状態（分割表示画面１２の表示よりも拡大させているが非圧縮状態よりも圧縮させている状態も含む）で表示されるように、波形データＤｗおよびエリアデータＤａに基づいて波形表示用データおよびエリア表示用データを生成することもできる。
【００２２】
続いて、制御部５は、信号波形Ｗ２，Ｗ３に対する波形判定を実行する。この波形判定では、制御部５は、波形データＤｗに基づいて生成した波形表示用データと、エリアデータＤａに基づいて生成したエリア表示用データとを比較することにより、分割表示画面１３に表示させている信号波形Ｗ２が判定エリアＡ２内から外れているか否かを判定する。この際に、図５に示すように、信号波形Ｗ２がポイントＰ１において判定エリアＡ２の範囲を外れているため、制御部５は、波形不良と判定して、その判定結果を示す例えば「ＮＧ」の文字を分割表示画面１３内に表示させる。一方、信号波形Ｗ３については判定エリアＡ３内から外れていないため、制御部５は、波形良好と判定して、その判定結果を示す例えば「ＯＫ」の文字を分割表示画面１４内に表示させる。この場合、信号波形Ｗ２，Ｗ３および判定エリアＡ２，Ａ３を非圧縮状態で表示させているため、制御部５は、信号波形Ｗ２が判定エリアＡ２から外れているか否か、および信号波形Ｗ３が判定エリアＡ３から外れているか否かを正確に判定する。
【００２３】
このように、この波形判定装置１によれば、操作部４を操作して設定範囲Ａａ，Ａｂが設定されたときに、制御部５が設定範囲Ａａ，Ａｂに含まれている信号波形Ｗ２，Ｗ３と信号波形Ｗ２，Ｗ３にそれぞれ対応する判定エリアＡ２，Ａ３とを表示部３の表示画面１１において時間軸方向に拡大した状態（上記の例では非圧縮状態）で表示させて波形判定を実行することにより、時間長が十分に長い入力信号Ｓを十分に短いサンプリング周期でサンプリングした波形データＤｗに基づいて圧縮表示させた信号波形Ｗ１がたとえ潰れていたとしても、信号波形Ｗ２，Ｗ３を拡大した状態で表示させて信号波形の細部を正確に表示することができる。したがって、信号波形Ｗ２，Ｗ３についての波形判定を正確に行うことができる。また、表示画面１１においてレベル軸方向に拡大した状態（上記の例では非圧縮状態）で表示させて波形判定を実行することにより、信号波形Ｗ２，Ｗ３に対する波形判定を一層正確に行うことができる。
【００２４】
また、制御部５が分割表示画面１２に信号波形Ｗ１を表示させると共に信号波形Ｗ２，Ｗ３および判定エリアＡ２，Ａ３を分割表示画面１３，１４に拡大した状態（上記の例では非圧縮状態）で表示させることにより、オペレータは、信号波形Ｗ１全体の様子および信号波形Ｗ１の細部の双方を同時に把握することができる。
【００２５】
また、制御部５が判定エリアＡ１を信号波形Ｗ１と共に分割表示画面１２に表示させることにより、オペレータは、信号波形Ｗ１が判定エリアＡ１内から外れているか否かを信号波形Ｗ１全体に亘って一目で把握することができるため、例えば、判定エリアＡ１を外れている部位が信号波形Ｗ１のどこに位置しているかを容易に把握することができる。
【００２６】
さらに、制御部５が、操作部４を操作して２つの設定範囲Ａａ，Ａｂが設定されたときに、各設定範囲Ａａ，Ａｂに含まれている信号波形Ｗ２，Ｗ３、および信号波形Ｗ２，Ｗ３にそれぞれ対応する判定エリアＡ２，Ａ３を分割表示画面１３，１４にそれぞれ拡大した状態（上記の例では非圧縮状態）で表示させて各分割表示画面１３，１４毎に波形判定を実行することにより、オペレータは、例えば、信号波形Ｗ１が判定エリアＡ１内から外れているか否かを判定するのが困難な部分が複数（上記の例では２箇所）存在していたとしても、それらの正確な判定結果を同時に把握することができる。
【００２７】
なお、本発明は、上記の構成に限定されない。例えば、表示画面１１に３つの分割表示画面１２〜１４を表示させる構成例について上記したが、分割表示画面の数は３つに限定されず、２以上の任意の数に規定することができる。この場合、分割表示画面の数に応じて設定範囲の数を増減することができる。また、分割表示画面１２に信号波形Ｗ１および判定エリアＡ１の双方を表示させる例について上記したが、分割表示画面１２に信号波形Ｗ１のみを表示させる構成を採用することもできる。また、必ずしも表示画面１１を分割して表示させる必要はなく、信号波形Ｗ１および判定エリアＡ１（または信号波形Ｗ１のみ）を表示画面１１の全域に表示させ、その状態において例えば設定範囲Ａａが設定されたときに、信号波形Ｗ１および判定エリアＡ１（または信号波形Ｗ１のみ）の表示から信号波形Ｗ２および判定エリアＡ２の拡大状態での表示に切り替える構成を採用することもできる。
【図面の簡単な説明】
【００２８】
【図１】波形判定装置１の構成を示すブロック図である。
【図２】入力信号Ｓ０の信号波形と各判定エリアＡ１との関係を説明するための説明図である。
【図３】入力信号Ｓの信号波形を示す波形図である。
【図４】信号波形Ｗ１および判定エリアＡ１を表示している表示画面１１の表示画面図である。
【図５】信号波形Ｗ１〜Ｗ３および判定エリアＡ１〜Ａ３を表示している表示画面１１の表示画面図である。
【符号の説明】
【００２９】
１  波形判定装置
３  表示部
４  操作部
５  制御部
６  ＲＡＭ
１１  表示画面
１２〜１４  分割表示画面
Ａ１〜Ａ３  判定エリア
Ａａ，Ａｂ  設定範囲
Ｄａ  エリアデータ
Ｄｗ  波形データ
Ｓ  入力信号
Ｗ１〜Ｗ３  信号波形
【図１】
2005189065.tif 000003
【図２】
2005189065.tif 000004
【図３】
2005189065.tif 000005
【図４】
2005189065.tif 000006
【図５】
2005189065.tif 000007